(57)【要約】表示装置（１０）は、画像を表示する表示部（１２）と表示部（１２）の背面（１２ａ）に形成した凹部（１３）に設けたハンドル（１４）とを備えた。ハンドル（１４）は第一把持部（１７）と第二把持部（１８）を連結部（１９）で連結した側面視略Ｚ字形状である。第一把持部（１７）の第一取付面（１７ａ）で表示装置（１０）の凹部（１３）に固定すると、第二把持部（１８）が把持し易いように表示装置の外側に突出し、第二把持部（１８）の第二取付面（１８ａ）で凹部（１３）に固定すると、第一把持部（１７）は表示装置（１０）の厚み内に収まる。
2014045350.tif 000002
【特許請求の範囲】
【請求項１】
第一把持部と第二把持部を連結部で連結してなるハンドルであって、
前記第一把持部には機器に固定するための第一取付面が設けられ、前記第二把持部には機器に固定するための第二取付面が設けられ、前記連結部の中心軸線と第一取付面のなす角度は前記連結部の中心軸線と第二取付面のなす角度より大きく設定されていて、前記第一取付面または第二取付面で選択的に取り付けられるようにしたことを特徴とするハンドル。
【請求項２】
画像を表示する表示部と、前記表示部の背面に設けられたハンドルとを備えた表示装置であって、
前記ハンドルは第一把持部と第二把持部を連結部で連結してなり、前記第一把持部には表示装置に固定するための第一取付面が設けられ、前記第二把持部には表示装置に固定するための第二取付面が設けられ、前記連結部の中心軸線と第一取付面のなす角度は前記連結部の中心軸線と第二取付面のなす角度より大きく設定されていて、前記ハンドルを前記第一取付面または第二取付面で表示装置に選択的に取り付けられるようにしたことを特徴とする表示装置。
【請求項３】
前記第一把持部の第一取付面を表示装置の背面に取り付けた場合には前記ハンドルは表示装置の厚み方向の外側に突出し、前記第二把持部の第二取付面を表示装置の背面に取り付けた場合には前記ハンドルは表示装置の厚み内に収まることを特徴とする請求項２に記載された表示装置。
【請求項４】
前記第一取付面または第二取付面は、前記表示装置の背面に形成された凹部または厚みの小さい端部に取り付けられるようにした請求項２または３に記載された表示装置。
【発明の詳細な説明】
【技術分野】
【０００１】
本発明は、各種機器に用いるハンドルとそのハンドルを備えた液晶ディスプレイやプラズマディスプレイなどの表示装置に関する。
【背景技術】
【０００２】
液晶ディスプレイやプラズマディスプレイなどの表示装置として、例えば特許文献１に記載されたものがある。この表示装置１は、図１０に示すように、ディスプレイパネルの周面や背面をフレーム筐体２で覆って矩形盤状に形成された表示部３を備えて構成されている。また、近年、表示装置１は大型化と薄型化が要望されており、大型の表示装置１では、運搬や設置作業等を容易に行えるように、背面３ａの薄板の両側部に一対のハンドル４を設けている。
しかも、この表示装置１のハンドル４は移動や運搬などの際の握り易さ、持ち運び易さを重視しているため、ハンドル４の把持部と表示装置の背面との間隙を大きく確保して把持部を作業者が握り易く形成している。
【先行技術文献】
【特許文献】
【０００３】
【特許文献１】特開２００５−２６６３９６号公報
【発明の概要】
【発明が解決しようとする課題】
【０００４】
ところで、表示装置１は薄型化が進んでいるため、作業者やユーザーがハンドリングし易いようにハンドル４を表示装置１の背面３ａとの間に十分な間隔が形成されるように表示装置１の厚み方向即ち奥行方向Ｔ１に突出させて設置すると、ハンドル４が表示装置１の背面３ａよりも奥行方向Ｔ１に突出してしまうことになる。
このような場合、表示装置１を部屋内の壁面に寄せて設置したり壁掛け金具で係止させたりするとハンドル４と壁面が干渉してしまい、壁面に充分寄せて設置することができないという欠点がある。【０００５】
また、複数の表示装置１同士を背面合わせに設置する場合、背面３ａからハンドル４が突出する分だけ各表示装置１の占有スペースを確保する必要が生じる。すると、表示装置１が薄型化されているにもかかわらず、背面合わせに設置した表示装置１同士の間に大きな隙間を設けたりしなければならないという欠点がある。
このような欠点をなくすためにハンドルを削除すると、表示装置１を持ち運びにくくなるという不具合が生じる。【０００６】
本発明は、このような課題に鑑みて、各種の機器や表示装置に取り付けて握り易さと占有スペースの低減を選択できるようにしたハンドルとこのハンドルを備えた表示装置を提供することを目的とする。
【課題を解決するための手段】
【０００７】
本発明によるハンドルは、第一把持部と第二把持部を連結部で連結してなるハンドルであって、第一把持部には機器に固定するための第一取付面が設けられ、第二把持部には機器に固定するための第二取付面が設けられ、連結部の中心軸線と第一取付面のなす角度は前記連結部の中心軸線と第二取付面のなす角度より大きく設定されていて、第一取付面または第二取付面で選択的に固定されるようにしたことを特徴とする。【０００８】
また、本発明による表示装置は、画像を表示する表示部と、表示部の背面に設けられたハンドルとを備えた表示装置であって、ハンドルは第一把持部と第二把持部を連結部で連結してなり、第一把持部には表示装置に固定するための第一取付面が設けられ、第二把持部には表示装置に固定するための第二取付面が設けられ、連結部の中心軸線と第一取付面のなす角度は連結部の中心軸線と第二取付面のなす角度より大きく設定されていて、ハンドルを第一取付面または第二取付面で表示装置に選択的に取り付けられるようにしたことを特徴とする。
【発明の効果】
【０００９】
本発明によるハンドル及び表示装置によれば、ハンドルの第一取付面と第二取付面の一方を選択的に機器や表示装置に取り付けることができ、第一取付面を機器や表示装置に取り付けるとハンドルと機器や表示装置との間隔が比較的大きくハンドルを把持し易く持ち運びし易い。また、ハンドルの第二取付面を機器や表示装置に取り付けることで、ハンドルと機器や表示装置との間隔が比較的小さいので機器や表示装置の占有スペースが小さく、機器や表示装置の設置スペースが小さくてすみ、外観上の見栄えが良くなる。
しかも、ハンドルの構成は簡単で取り付けも容易である。
【図面の簡単な説明】
【００１０】
【図１】本発明の実施形態に係る表示装置の背面を示す斜視図である。
【図２Ａ】実施形態に係る表示装置のハンドルを示す正面図である。
【図２Ｂ】図２Ａに示すハンドルの側面図である。
【図３】ハンドルの斜視図である。
【図４】第一取付面でハンドルを表示装置の背面に取り付けた状態を示す要部斜視図である。
【図５】図４に示すハンドルの取り付け状態を示す要部断面図である。
【図６】第二取付面でハンドルを表示装置の背面に取り付けた状態を示す要部斜視図である。
【図７】図６に示すハンドルの取り付け状態を示す要部断面図である。
【図８】第一変形例によるハンドルの斜視図である。
【図９】第二変形例によるハンドルの斜視図である。
【図１０】従来の表示装置の背面を示す斜視図である。
【発明を実施するための形態】
【００１１】
以下、本発明の実施形態によるハンドルと表示装置について、図１から図７を参照して説明する。
本実施形態による表示装置１０は、図１に示すように、画像を表示する略四角形平板状の表示部１２と、表示部１２の背面１２ａの上部に取り付けられた一対のハンドル１４とを備えている。
表示部１２は、液晶ディスプレイパネルやプラズマディスプレイパネルなどのディスプレイパネルと、ディスプレイパネルの背面側の駆動装置等を背面カバーで被覆した背面１２ａと、このディスプレイパネルの周面や背面１２ａを覆って取り付けられたフレーム筐体１５とを備えている。表示装置１０の背面１２ａの上部には一対の凹部１３が形成され、各凹部１３は側壁１３ａと底面１３ｂとで断面Ｌ字状に凹んで形成されている。
【００１２】
ハンドル１４は、表示装置１０の背面１２ａに取り付けられて作業者やユーザーが手で把持して表示装置１０の持ち上げや運搬や設置等を容易に行えるようにしたものである。
このハンドル１４は、図２Ａ、図２Ｂ、図３に示すように、例えば板状をなす第一把持部１７と第二把持部１８とが所定間隔を開けて略平行に配列されており、第一及び第二把持部１７，１８の両端部が連結部１９によって連結され、正面視略四角形枠状とされている。
【００１３】
第一把持部１７には、表示装置１２の背面１２ａに形成された一対の凹部１３の側壁１３ａに面接触する平面状の第一取付面１７ａが形成され、第一把持部１７を側壁１３ａにねじ等の固定部材で固定するための一対のボルト穴２１が穿孔されている。第二把持部１８にも、表示装置１２の背面１２ａに形成された一対の凹部１３の側壁１３ａに面接触する平面状の第二取付面１８ａが形成され、第二把持部１８を側壁１３ａにねじ等の固定部材で固定するための一対のボルト穴２１が穿孔されている。第一取付面１７ａと第二取付面１８ａはハンドル１４の外側を向く面にそれぞれ形成されている。
【００１４】
また、ハンドル１４の各連結部１９は、図２Ｂの側面図に示すように、直線の棒状の軸部１９ａとその上下端部から反対方向に湾曲して突出する第一突部１９ｂと第二突部１９ｃとで略Ｚ字形状に形成されている。しかも、第一突部１９ｂは第一把持部１７の両端に連結され、第二突部１９ｃは第二把持部１８の両端に連結されている。
また、図２Ｂに示すハンドル１４の側面図において、連結部１９の軸部１９ａの中心軸線をＯとし、第一把持部１７の第一取付面１７ａに沿った延長線をＭ１とし、第二把持部の第二取付面１８ａに沿った延長線をＭ２とする。そして、第一取付面１７ａと第二取付面１８ａのなす角度θ、すなわち延長線Ｍ１とＭ２とがなす角度θは鋭角であり、一例として１５°〜２５°の範囲であることが好ましく、例えば２０°に設定されている。
【００１５】
なお、角度θの範囲については、表示装置１における凹部１３の厚み（底面１３ｂの幅）やハンドル１４における連結部１９の第一取付面１７ａと第二取付面１８ａとの間の長さ寸法等によって適宜変化する。
【００１６】
また、軸部１９ａの中心軸線Ｏと第一取付面１７ａとのなす角度をαとし、同じく軸部１９ａの中心軸線Ｏと第二取付面１８ａとのなす角度をβとすると、α>βに設定されている。
これによって、ハンドル１４の第一把持部１７の第一取付面１７ａを表示装置１０の凹部１３の側壁１３ａに取り付けた場合には、ハンドル１４の第二把持部１８が表示装置１０の背面１２ａより外側に突出して凹部１３の側壁１３ａとの間隔が大きくなるため、第二把持部１８の把持が容易になる（図５参照）。また、ハンドル１４の第二把持部１８の第二取付面１８ａを表示装置１０の凹部１３の側壁１３ａに取り付けた場合には、ハンドル１４の第一把持部１７が表示装置１０の凹部１３ａの厚み内（底部１３ｂの幅内）に収まって凹部１３の側壁１３ａとの間隔が小さくなり、表示装置１０の占有スペースが小さくなる（図７参照）。
【００１７】
また、軸部１９ａの中心軸線Ｏと第一取付面１７ａとのなす角度αと、軸部１９ａの中心軸線Ｏと第二取付面１８ａとのなす角度βとの関係（α>β）に関連して、軸部１９ａと第一突部１９ｂとのなす角度は鈍角とされ、軸部１９ａと第二突部１９ｃとのなす角度は鋭角または直角とされているが、本発明ではこのような関係に限定されない。少なくともα>βであればよく、軸部１９ａ及び第一突部１９ｂのなす角度と軸部１９ａ及び第二突部１９ｃのなす角度は鈍角でも鋭角でもよい。
【００１８】
本実施形態による表示装置１０は上述の構成を備えており、次にこの表示装置１０へのハンドル１４の取り付け構造について図４乃至図７によって説明する。
図４及び図５に示す表示装置１０におけるハンドル１４の取り付け構造では、表示装置１０の持ち運び易さに重点を置いている。そのため、表示装置１の背面１２ａの上部に形成した一対の凹部１３の側壁１３ａにハンドル１４の第一把持部１７の第一取付面１７ａを当接させてねじ２３で固定した。
【００１９】
この構成では、ハンドル１４の連結部１９の軸部１９ａの中心軸線Ｏと側壁１３ａに固定された第一取付面１７ａの延長線Ｍ１との交差角度αが比較的大きく、連結部１９の軸部１９ａと第一突部１９ｂとの交差角度が鈍角である。そのため、ハンドル１４の連結部１９が表示装置１０から離間する方向に傾斜して第二把持部１８が凹部１３の底面１３ｂよりも外側即ち奥行方向に突出し、握ることが可能な第二把持部１８と表示装置１０の側壁１３ａとの間隙が大きく設定されている。
しかも、図５に示すように、連結部１９の軸部１９ａの中心軸線Ｏと第一把持部１７の第一取付面１７ａの延長線Ｍ１とは表示装置１０上で交差する構成となる。
この場合、作業者はハンドル１４の第二把持部１８に手を掛け易く握り易い。
【００２０】
また、図６及び図７に示す表示装置１０におけるハンドル１４の取り付け構造では、表示装置１０を室内の壁面等へ寄せた設置に重点を置いている。そのため、表示装置１の背面１２ａの上部に形成した一対の凹部１３の側壁１３ａにハンドル１４の第二把持部１８の第二取付面１８ａを当接させてねじ２３で固定した。
【００２１】
この構成では、ハンドル１４の連結部１９の軸部１９ａの中心軸線Ｏと側壁１３ａに固定された第二取付面１８ａの延長線Ｍ２との交差角度βが比較的小さく、連結部１９の軸部１９ａと第二突部１９ｃとの交差角度が鋭角である。しかも、図７に示すように、連結部１９の軸部１９ａの中心軸線Ｏと第二把持部１８の第二取付面１８ａの延長線Ｍ２とは表示装置１０を外れた上方で交差する構成となる。
そのため、ハンドル１４の連結部１９が表示装置１０に近接する方向に傾斜して第一把持部１７が凹部１３の底面１３ｂ内に位置し、表示装置１０から外側即ち奥行方向に突出することがない。この場合でも、作業者はハンドル１４の第一把持部１７に手を掛けて表示装置１０を持ち上げたり運搬させたりすることは可能である。
【００２２】
そのため、上述した構成では、表示装置１０のハンドル１４を握るスペースは小さいが、ハンドル１４が表示装置１０の厚みから外側に突出しないため、背面１２ａを部屋内の壁面に密着させて表示装置１０を取り付けることができる。また、壁掛け金具を用いて表示装置１０を壁面に密接または近接して壁掛け式に取り付けることもできる。
また、二台の表示装置１０を背中合わせに設置する場合でも、表示装置１０の背面１２ａ同士を密接または近接させて設置することができる。
【００２３】
上述のように本実施形態による表示装置１０によれば、必要に応じてハンドル１４の第一取付面１７ａと第二取付面１８ａのいずれかを選択的に凹部１３の側壁１３ａに取り付けることができる。凹部１３の側壁１３ａにハンドル１４の第一取付面１７ａを固定した場合には、第二把持部１８が表示装置１０の厚み方向の外側に突出するため、第二把持部１８を握り易く持ち運びが容易になる。また、ハンドル１４の第二取付面１８ａを凹部１３の側壁１３ａに固定した場合には、ハンドル１４を表示装置１０の凹部１３の厚み内に収めて固定できるため占有スペースが表示装置１０の厚み分だけになり、壁面に寄せて取り付けたり複数台の表示装置１０を背中合わせに当接または近接して設置することができて設置スペースが小さくて済み外観上の見栄えがよい。
【００２４】
なお、本発明は上述の実施形態によるハンドル１４及びこのハンドル１４を備えた表示装置１０に限定されるものではなく、本発明の要旨を逸脱または変更しない限り適宜の変更を採用することができる。
以下に、本発明の実施形態によるハンドル１４の変形例について説明するが、上述した実施形態と同一または同様な部分、部材には同一の符号を用いて説明を行う。
【００２５】
図８は第一変形例によるハンドル２５を示す斜視図である。
図８に示すハンドル２５では、第一把持部１７と第二把持部１８の長さ方向の中央部に連結部１９が連結されている。
また、図９は第二変形例によるハンドル２６を示す斜視図であり、このハンドル２６では、第一把持部１７と第二把持部１８の長さ方向の一端部に連結部１９が連結されている。
上述した第一及び第二変形例によるハンドル２５，２６においても上述した実施形態によるハンドル１４と同様の作用効果を得られる。
【００２６】
なお、上述の実施形態による表示装置１０では、表示装置１０の背面１２ａの上部に一対の凹部１３を形成してその側壁１３ａにそれぞれハンドル１４を固定するようにしたが、本発明による表示装置１０はこのような構成に限定されるものではない。例えば、ハンドル１４，２５，２６を固定する凹部１３は背面１２ａの上部中央に１つ設けてもよい。或いは、表示装置１０の背面１２ａの両側部に一対の凹部１３を形成して、各ハンドル１４，２５，２６を第一及び第二把持部１７，１８が縦向きになるように選択的に固定するようにしてもよい。
【００２７】
また、上述した表示装置１０ではハンドル１４，２５，２６を設置する位置に凹部１３を形成したが、必ずしも凹部１３を形成する必要はない。例えば、図１０に示す従来技術の表示装置のように、表示部１２の背面１２ａにおいて、ディスプレイパネルの駆動装置等を被覆する凸部形状の背面カバーの周囲が一段厚みの小さい端部領域に形成されていれば、この端部領域にハンドル１４，２５，２６を固定することができる。
なお、本発明によるハンドルは、表示装置に取り付けるものに限定されるものではなく、他の適宜の機器に取り付け固定でき、その場合でも、表示装置に取り付けた場合と同様な作用効果を得ることができる。
【産業上の利用可能性】
【００２８】
本発明は、表示装置の背面やその他の機器に、第一把持部と第二把持部を連結部で連結したハンドルを選択的に固定できる。表示装置の背面やその他の機器が薄型化されていても、ハンドルを固定する際、第一把持部の第一取付面で固定した場合には第二把持部が表示装置やその他の機器の外側に突出して把持し易くなり、第二把持部の第二取付面で固定した場合には第一把持部が表示装置やその他の機器の外側に突出しないので設置スペースが小さい。
【符号の説明】
【００２９】
１０  表示装置
１２  表示部
１２ａ  背面
１３  凹部
１３ａ  側壁
１４、２５，２６  ハンドル
１７  第一把持部
１７ａ  第一取付面
１８  第二把持部
１８ａ  第二取付面
１９  連結部
１９ａ  軸部
【図１】
2014045350.tif 000003
【図２Ａ】
2014045350.tif 000004
【図２Ｂ】
2014045350.tif 000005
【図３】
2014045350.tif 000006
【図４】
2014045350.tif 000007
【図５】
2014045350.tif 000008
【図６】
2014045350.tif 000009
【図７】
2014045350.tif 000010
【図８】
2014045350.tif 000011
【図９】
2014045350.tif 000012
【図１０】
2014045350.tif 000013
【手続補正書】
【提出日】平成27年3月13日(2015.3.13)
【手続補正１】
【補正対象書類名】特許請求の範囲
【補正対象項目名】全文
【補正方法】変更
【補正の内容】
【特許請求の範囲】
【請求項１】
第一把持部と第二把持部を連結部で連結してなるハンドルであって、
前記第一把持部には機器に固定するための第一取付面が設けられ、前記第二把持部には機器に固定するための第二取付面が設けられ、前記連結部の中心軸線と第一取付面のなす角度は前記連結部の中心軸線と第二取付面のなす角度より大きく設定されていて、前記第一取付面または第二取付面で選択的に取り付けられるようにしたことを特徴とするハンドル。
【請求項２】
画像を表示する表示部と、前記表示部の背面に設けられたハンドルとを備えた表示装置であって、
前記ハンドルは第一把持部と第二把持部を連結部で連結してなり、前記第一把持部には表示装置に固定するための第一取付面が設けられ、前記第二把持部には表示装置に固定するための第二取付面が設けられ、前記連結部の中心軸線と第一取付面のなす角度は前記連結部の中心軸線と第二取付面のなす角度より大きく設定されていて、前記ハンドルを前記第一取付面または第二取付面で表示装置に選択的に取り付けられるようにしたことを特徴とする表示装置。
【請求項３】
前記第一把持部の第一取付面を表示装置の背面に取り付けた場合には前記ハンドルは表示装置の厚み方向の外側に突出し、前記第二把持部の第二取付面を表示装置の背面に取り付けた場合には前記ハンドルは表示装置の厚み内に収まることを特徴とする請求項２に記載された表示装置。
【請求項４】
前記第一取付面または第二取付面は、前記表示装置の背面に形成された凹部または厚みの小さい端部に取り付けられるようにした請求項２または３に記載された表示装置。
【請求項５】
画像を表示する表示部の背面にハンドルを取り付ける取り付け方法であって、
前記ハンドルは第一把持部と第二把持部を連結部で連結してなり、
前記第一把持部の第一取付面を前記表示装置に固定すると、前記連結部はその中心軸線と第一取付面とのなす角度が比較的大きく設定され、
前記第二把持部の第二取付面を前記表示装置に固定すると、前記連結部はその中心軸線と第二取付面とのなす角度が比較的小さく設定され、
前記ハンドルを前記第一取付面または第二取付面で表示装置に選択的に取り付けるようにしたことを特徴とする表示装置のハンドル取り付け方法。
【手続補正３】
【補正対象書類名】明細書
【補正対象項目名】０００１
【補正方法】変更
【補正の内容】
【０００１】
本発明は、各種機器に用いるハンドルとそのハンドルを備えた液晶ディスプレイやプラズマディスプレイなどの表示装置、そして表示装置のハンドル取り付け方法に関する。
【手続補正４】
【補正対象書類名】明細書
【補正対象項目名】０００６
【補正方法】変更
【補正の内容】
【０００６】
本発明は、このような課題に鑑みて、各種の機器や表示装置に取り付けて握り易さと占有スペースの低減を選択できるようにしたハンドルとこのハンドルを備えた表示装置、そして表示装置のハンドル取り付け方法を提供することを目的とする。
【手続補正５】
【補正対象書類名】明細書
【補正対象項目名】０００８
【補正方法】変更
【補正の内容】
【０００８】
また、本発明による表示装置は、画像を表示する表示部と、表示部の背面に設けられたハンドルとを備えた表示装置であって、ハンドルは第一把持部と第二把持部を連結部で連結してなり、第一把持部には表示装置に固定するための第一取付面が設けられ、第二把持部には表示装置に固定するための第二取付面が設けられ、連結部の中心軸線と第一取付面のなす角度は連結部の中心軸線と第二取付面のなす角度より大きく設定されていて、ハンドルを第一取付面または第二取付面で表示装置に選択的に取り付けられるようにしたことを特徴とする。
また、本発明による表示装置のハンドル取り付け方法は、画像を表示する表示部の背面にハンドルを取り付ける取り付け方法であって、ハンドルは第一把持部と第二把持部を連結部で連結してなり、第一把持部の第一取付面を表示装置に固定すると、連結部はその中心軸線と第一取付面とのなす角度が比較的大きく設定され、第二把持部の第二取付面を表示装置に固定すると、連結部はその中心軸線と第二取付面とのなす角度が比較的小さく設定され、ハンドルを第一取付面または第二取付面で表示装置に選択的に取り付けるようにしたことを特徴とする。
【手続補正６】
【補正対象書類名】明細書
【補正対象項目名】０００９
【補正方法】変更
【補正の内容】
【０００９】
本発明によるハンドル及び表示装置、表示装置のハンドル取り付け方法によれば、ハンドルの第一取付面と第二取付面の一方を選択的に機器や表示装置に取り付けることができ、第一取付面を機器や表示装置に取り付けるとハンドルと機器や表示装置との間隔が比較的大きくハンドルを把持し易く持ち運びし易い。また、ハンドルの第二取付面を機器や表示装置に取り付けることで、ハンドルと機器や表示装置との間隔が比較的小さいので機器や表示装置の占有スペースが小さく、機器や表示装置の設置スペースが小さくてすみ、外観上の見栄えが良くなる。
しかも、ハンドルの構成は簡単で取り付けも容易である。
【国際調査報告】
2014045350.tif 000014
2014045350.tif 000015
2014045350.tif 000016